(57)【特許請求の範囲】
【請求項１】
テレビ受信機のためのディスプレイインターフェースであって、
最大ｎ×ｍ個のチャンネルのための複数のチャンネルインディケータを表示するためのｎ個の列およびｍ個の行を有するチャンネルマトリックスであって、該ｎおよびｍが２よりも大きい正の整数であり、各チャンネルインディケータが該マトリックス内のそれぞれ異なる位置に対応し、該チャンネルマトリックスによって表されるチャンネルが複数のチャンネルグループのうちの１つのチャンネルグループである、チャンネルマトリックスと、
該複数のチャンネルグループの中で該チャンネルマトリックスを切り換えることにより、現在のチャンネルグループを選択し、該現在のチャンネルグループにおける基本チャンネルのチャンネルインディケータを表示するように活性化されるように構成されたチャンネルグループセレクタと、
該マトリックスの該行および該列にそった位置に移動されるように構成されたカーソルと、
該マトリックス上の該カーソルの位置にある該インディケータに対応するテレビチャンネル上の状態情報を表示するチャンネル状態セクションと、
該マトリックス上の該カーソルの位置にある該インディケータに対応する該チャンネルを選択するチャンネルセレクタと
を含む、ディスプレイインターフェース。
【請求項２】
前記現在のチャンネルグループ内の全てのチャンネルを同時に選択するように活性化されるグループ選択部をさらに含む、請求項１に記載のディスプレイインターフェース。
【請求項３】
前記ｎおよびｍが１０に等しく、それにより各チャンネルグループが最大１００チャンネルを含む、請求項１に記載のディスプレイインターフェース。
【請求項４】
前記チャンネルマトリックス内の各チャンネルインディケータが、前記対応するチャンネルの前記状態情報を示すようにカラーコード化されている、請求項１に記載のディスプレイインターフェース。
【請求項５】
前記マトリックス内の前記インディケータに対応する前記チャンネルが、少なくとも１つの所定のプロパティを有するか、または有せず、該１つの所定のプロパティを有するチャンネルに対応する該チャンネルインディケータが変更され、該１つの所定のプロパティを有さないチャンネルに対応するチャンネルインディケータが変更されない、請求項１に記載のディスプレイインターフェース。
【請求項６】
前記所定のプロパティが、少なくとも一部、前記チャンネルを介して送信される信号に依存し、前記チャンネルインディケータが、該チャンネルを介して送信される信号が変わって、該チャンネルのうちの各々に関する該所定のプロパティ内の変化を示すときに、リアルタイムで変更される、請求項５に記載のディスプレイインターフェース。
【請求項７】
前記所定のプロパティが、少なくとも一部、電子プログラムガイド内に含まれる前記チャンネルについての情報に依存し、前記チャンネルインディケータが、該プロパティ内の変化が該電子プログラムガイド内で示されるとおりに発生する時間に対応する時間に変更される、請求項５に記載のディスプレイインターフェース。
【請求項８】
前記マトリックスの前記行および列に沿って前記カーソルを移動するための少なくとも１つのカーソルナビゲーションキーを含むリモートコントロールデバイスをさらに含み、前記チャンネルセレクタが該リモートコントロールデバイスのさらなるキーである、請求項１に記載のディスプレイインターフェース。
【請求項９】
音声方向コマンドを認識して、前記カーソルを前記マトリックスの前記行および列に沿って移動させ、且つ音声選択コマンドを認識して前記チャンネルセレクタとして作用する音声認識システムをさらに含む、請求項１に記載のディスプレイインターフェース。
【請求項１０】
前記チャンネルマトリックスによって表わされる前記チャンネル上で実行され得る、個々の機能を表わす複数の機能インディケータを含む機能選択部をさらに含む、請求項１に記載のディスプレイインターフェース。
【請求項１１】
Ｃチャンネルを受信するように構成されたテレビ受信機を制御するためのユーザインターフェース方法であって、Ｃが整数であり、
該方法は、
最大ｎ×ｍ個のチャンネルのためのチャンネルインディケータを表示するためのｎ個の列およびｍ個の行を有するチャンネルマトリックスを表示する工程であって、ｎおよびｍが２よりも大きい正の整数であり、ｎ×ｍがＣよりも小さく、各チャンネルインディケータが該マトリックス内のそれぞれ異なる位置に対応し、該チャンネルマトリックスによって表されるチャンネルが複数のチャンネルグループから選択された現在のチャンネルグループである、工程と、
チャンネルグループセレクタとして該現在のチャンネルグループにおける基本チャンネルのチャンネルインディケータを表示する工程と、
該複数のチャンネルグループの中で該チャンネルマトリックスを切り換えることにより、該現在のチャンネルグループを選択するように該チャンネルグループセレクタを活性化する工程と、
該チャンネルインディケータのうちの１つに対応するチャンネルの可能な選択を示すために、該マトリックス内の該チャンネルインディケータ上にカーソルを移動させる工程と、
該選択され得るチャンネルに関する状態情報を表示する工程と、
該表示された状態情報に応答して、該選択され得るチャンネルに対応する該チャンネルインディケータを選択する工程と
を包含する方法。
【請求項１２】
グループセレクタを表示する工程と、
前記現在のチャンネルグループ内の全てのチャンネルを同時に選択するように該グループセレクタを活性化する工程と
をさらに包含する、請求項１１に記載の方法。
【請求項１３】
前記対応するチャンネルの前記状態情報を示すように、前記チャンネルマトリックス内の前記複数のチャンネルインディケータ中のチャンネルインディケータをカラーコード化する工程をさらに包含する、請求項１１に記載の方法。
【請求項１４】
前記マトリックス内の前記インディケータに対応する前記チャンネルが、少なくとも１つの所定のプロパティを有するか、または有せず、前記方法が該１つの所定のプロパティを有するチャンネルに対応する該チャンネルインディケータを変更する工程、および該１つの所定のプロパティを有さないチャンネルに対応する該チャンネルインディケータを変更しない工程をさらに包含する、請求項１１に記載の方法。
【請求項１５】
前記所定のプロパティが、少なくとも一部、前記チャンネルを介して送信される信号に依存し、前記チャンネルインディケータを変更する工程が、該信号が該チャンネルを介して送信される信号が変わって、該チャンネルのうちの各々に関する該所定のプロパティ内の変化を示すときに、リアルタイムで該チャンネルインディケータを変更する工程を包む、請求項１４に記載の方法。
【請求項１６】
前記所定のプロパティが、少なくとも一部、電子プログラムガイド内に含まれる前記チャンネルについての情報に依存し、前記チャンネルインディケータを修正する工程が、該プロパティ内の変化が該電子プログラムガイド内で示されるとおりに発生する時間に対応する時間に該チャンネルインディケータを変更する工程を含む、請求項１４に記載の方法。
【請求項１７】
前記チャンネルマトリックスによって表わされる前記チャンネル上で実行され得る、個々の機能を表わす複数の機能インディケータを含む機能選択部を表示する工程と、
該機能インディケータが実行されるときに、該複数の機能インディケータのうちの選択された１つに対応する機能を実行する工程と
をさらに包含する、請求項１１に記載の方法。
【請求項１８】
テレビ受信機を制御するユーザインターフェースを実現するための装置であって、
最大ｎ×ｍ個のチャンネルのためのチャンネルインディケータを表示するためのｎ個の列およびｍ個の行を有するチャンネルマトリックスを表示するための手段であって、該ｎおよびｍが２よりも大きい正の整数であり、各チャンネルインディケータが該マトリックス内のそれぞれ異なる位置に対応し、該チャンネルマトリックスによって表されるチャンネルが複数のチャンネルグループの中から選択された現在のチャンネルグループである、手段と、
該複数のチャンネルグループの中で該チャンネルマトリックスを切り換えることにより、現在のチャンネルグループを選択し、該現在のチャンネルグループにおける基本チャンネルのチャンネルインディケータを表示するチャンネルグループ選択手段と、
該チャンネルインディケータのうちの１つと対応するチャンネルの可能な選択を示すために、該マトリックス内の該チャンネルインディケータ上にカーソルを移動させるための手段と、
該選択され得るチャンネルに関する状態情報を表示するための手段と、
該表示された状態情報に応答して、該選択され得るチャンネルに対応する該チャンネルインディケータの選択を示すための手段と
を含む装置。
【請求項１９】
前記マトリックス内の前記インディケータに対応する前記チャンネルが、第１および第２の構成を有し得、該装置が、該第１の構成を有するチャンネルに対応する該チャンネルインディケータを変更し、且つ該第２の構成を有するチャンネルに対応する該チャンネルインディケータを変更しない手段をさらに備える、請求項１８に記載の装置。
【請求項２０】
テレビ受信機を制御するためのユーザインターフェース方法を実現するようにコンピュータを制御するコンピュータプログラムを含む、コンピュータ可読媒体であって、該コンピュータプログラムが、
最大ｎ×ｍ個のチャンネルのためのチャンネルインディケータを表示するためのｎ個の列およびｍ個の行を有するチャンネルマトリックスを表示する工程であって、該ｎおよびｍが２よりも大きい正の整数であり、各チャンネルインディケータが該マトリックス内のそれぞれ異なる位置に対応し、該チャンネルマトリックスによって表されるチャンネルが複数のチャンネルグループの中から選択された現在のチャンネルグループである、工程と、
チャンネルグループセレクタとして該現在のチャンネルグループにおける基本チャンネルのインディケータを表示する工程と、
該複数のチャンネルグループの中で該チャンネルマトリックスを切り換えることにより、該現在のチャンネルグループを選択するように該チャンネルグループセレクタを活性化する工程と、
該チャンネルインディケータのうちの１つに対応するチャンネルの可能な選択を示すために、該マトリックス内の該チャンネルインディケータ上にカーソルを移動させる工程と、
該選択され得るチャンネルに関する状態情報を表示する工程と、
該表示された状態情報に応答して、該選択され得るチャンネルに対応する該チャンネルインディケータを選択する工程と
を該コンピュータに実行させる、コンピュータ可読記録媒体。
【発明の詳細な説明】
【０００１】
【発明の属する技術分野】
本発明は、一般に、ディスプレイインターフェースに関し、さらに詳細には、チャンネルマトリックスを含むディスプレイインターフェースに関する。
【０００２】
【従来の技術】
任意の所与の時間に視聴者が受信し得るテレビ番組の数は、過去数年のうちに、幾何級数的に増加した。米国テレビシステム委員会（ＮＴＳＣ）およびパル（Ｐｈａｓｅ  Ａｌｔｅｒｎａｔｅ  Ｌｉｎｅ）（ＰＡＬ）規格に準拠しているような従来のアナログテレビシステムは、６ＭＨｚまたは８ＭＨｚのチャンネルごとに１つの番組を送信している。近年、各６ＭＨｚのチャンネルで、複数の番組を送信することができる、デジタルテレビ信号処理技術が開発されてきた。さらに、今では、多くのテレビ信号のソースが存在する。従来の放送用アンテナに加えて、視聴者は、有線システム、数種類の異なるタイプの衛星システム、いわゆる無線システム、および近い将来には、インターネット等の世界規模の情報ネットワークを介して、テレビ信号を受信し得る。
【０００３】
従来のケーブルテレビシステムは、少なくても１４０の６ＭＨｚチャンネルを配信することができ、同軸ケーブルを介して２００以上のチャンネルを配信できるシステムもある。現在、新たな技術が、家庭に配信可能な番組の数を増やすために研究されている。これは、２つの技術戦略的な動きによって行われている。１つ目は、割り当てバンド幅を（１５０の６ＭＨｚチャンネルを提供する）１ＧＨｚまで増やすことである。２つ目は、映像圧縮を用いて、１つの６ＭＨｚ幅のチャンネル内に最大１０のマイナーチャンネル（ｍｉｎｏｒ  ｃｈａｎｎｅｌ）を運ぶようにチャンネルを構成することである。複数のマイナーチャンネルを含むチャンネルは、マルチプログラムチャンネルとしても知られている。業界で用いられる通常の数は、約５００の番組が単一の同軸ケーブル上を家庭へと配信することができることを見込んでいる。光ファイバーケーブルは、同軸ケーブルのバンド幅の何倍も提供し、数千の番組を提供することも保証する。同様に、衛星システムのための増加されたバンド幅が、視聴者が１０００以上の６ＭＨｚチャンネルで、各チャンネルが最大１０のマイナーチャンネルを含むチャンネルを受信することを可能にし得る。
【０００４】
【発明が解決しようとする課題】
しかしながら、視聴者がこの大量の番組を分類することは困難である。この問題はすでに、加入視聴者が５００または１０００よりもずっと少ない、１４０の番組を検索するような場合にも感じられている。この問題に対処するために、より新しいテレビシステムの多くが、タイプごとに整理された番組選択を提示するオンスクリーンメニューを備える。そのようなシステムの１つは、番組スケジュール情報を表示するための専用のチャンネルを用いる。この情報を見るために、視聴者は、単にその専用チャンネルに合わせる。このようなシステムの利点は、伝送ヘッドエンドで中央的に実現されるので、比較的に配置が簡単なことである。表示の全ての制御が伝送ヘッドエンドで維持されるので、さらなる電子機器またはソフトウェアは視聴者がいる場所には必要とされない。表示情報は、専用チャンネルで続けて放送される。テレビ視聴者は、番組リストを見るために、単にケーブル変換ボックス（ｃａｂｌｅ  ｃｏｎｖｅｒｔｅｒ  ｂｏｘ）またはテレビチューナーを、スケジュール情報が表示されるチャンネルに合わせる。通常、これらの番組ガイドは、テレビリストがスクロールする表示を用いる。画面の残りの部分に有料チャンネルの映画、ペイパービューイベントスケジュール、時間および天気情報、ならびに他の宣伝情報に関する広告等の補足情報を備えたリストの部分的な画面を用いるシステムもある。これらのシステムは、一般に、番組スケジュール情報を表示するために、各チャンネルに関する異なる行、および異なる時間枠を表す列を備えたグリッド（ｇｒｉｄ）またはマトリックスを組み込む。
【０００５】
別のタイプの電子プログラムガイドが、テレビチャンネルの一部（例えば、垂直帰線間隔）の間に伝送されるテレビスケジュールデータベースを検索して処理するために、視聴者の受信機内のソフトウェアおよび／またはハードウェアを用いる。そのようなシステムの１つとしては、ＳｔａｒｓｉｇｈｔＴＭサービスがある。Ｓｔａｒｓｉｇｈｔサービスを周期的に用いるために装備されたテレビ受信機は、受信機の電源が切れているときでも、ガイドチャンネル上に送信されるテレビ信号の垂直帰線間隔で符号化されたスケジュール情報データベースを復元するために、ガイドチャンネルに同調する。次いで、システムは、オンスクリーンメニューの階層的集合として、視聴者に表示され得るように、データをフォーマットする。このメニューによって、ユーザは、データをどのように表示するかを幾分柔軟に決定できる。例えば、番組データは、番組のタイプ（例えば、スポーツ、ドラマ、コメディ）ごとに表示され得る。あるいは、視聴者は、２、３のお気に入りのチャンネルを選択し、そのチャンネルに関するデータのみを表示し得る。
【０００６】
これだけの量のインタラクションを備えていても、既存の電子プログラムガイド（ＥＰＧ）システムは、視聴者、特に大量のチャンネルにアクセスできる人にとっては、１度に見ることが可能な数が比較的に少ない（例えば、１０）ので、フラストレーションを引き起こさせる。例えば、視聴者が光ファイバーシステム、または放送用アンテナ、衛星放送用ディッシュ、およびケーブルシステムの組み合わせに接続され、５００〜１０００の番組を受信することができる場合、可能な選択肢の全てを表示するためには、５０〜１００の画面が必要であろう。また、既存のＥＰＧシステムは、なおも幾分使用しにくく、美観的に楽しませ得る機能に欠ける。これらの欠けている部分により、視聴者による使用が制限され、一般に印刷されたテレビスケジュールが好まれる。
【０００７】
しかしながら、効果的なメニューシステムが、デジタルテレビの時代には必要とされる。部分的に、最大１０の標準的な解像度のテレビ（ＳＤＴＶ）番組を１つの６ＭＨｚのチャンネルに圧搾するために用いられる圧縮技術により、チャンネルの切り替えが、アナログの受信機でよりも、デジタルの受信機ではより多くの時間を要する。例えば、視聴者が新たな番組を選択した時から、その番組のなんらかの画像情報が受信機上で表示されるまでの間に３〜４秒要し得る。
【０００８】
また、多くの視聴者は、リスト項目が画面上を上がっていくときに、それを目で追わなければならないので、連続してスクロールする番組ガイドが読みづらく感じ得る。分割画面形式で、広告、宣伝情報、および他の情報とともに、スクロールするリスト項目を使用する傾向によって、この問題は複雑化している。この情報を続けて見させられる一方で、所望のチャンネルのスケジュール情報がデイスプレイ上に現れるのを待つことは、視聴者にフラストレーションを引き起こさせ得る。
【０００９】
電子プログラムガイドがそれほど利用されないことの考え得る別の理由は、単にそれらを見ることが退屈であることである。全画面分のリスト項目が、１度により多くの情報を表示し、それによって、番組スケジュール全体を通したサイクル時間をより短くすることを可能にする一方で、視聴者は、全画面分のリスト項目を続けて見ることが単調であるために退屈させられ得る。しかしながら、上記のとおり、視聴者にとって関心のあるさらなる情報を同時に表示する分割画面番組ガイドは、よりずっと長いサイクル時間という不利な点を有する。
【００１０】
従って、番組スケジュールグリッドをより分かりやすく、且つ扱いやすくするために、番組情報を表示する改善された方法が必要である。また、番組スケジュール情報のためのより美観的に楽しませる表示環境およびより柔軟な表示フォーマットを提供する必要もある。数百から数千のチャンネルからなるシステムのために、上記の事柄を効果的に提供することが可能なディスプレイシステムにも、特定の必要性がある。
【００１１】
【課題を解決するための手段】
本発明は、ｎ個の行およびｍ個の列を有するチャンネルマトリックス、チャンネルマトリックス状態部、および選択チャンネル状態部を含むディスプレイインターフェースで実現される。上記チャンネルマトリックスは、最大ｎ×ｍ個のチャンネルまでのセレクタを同時に表示する。上記チャンネルマトリックス状態部は、チャンネルマトリックス情報を表示し、視聴者が該マトリックスからのチャンネルを選択することを可能にする。選択チャンネル状態部は、選択チャンネル情報を表示し、上記視聴者がチャンネルパラメータを選択することを可能にする。
【００１２】
本発明の１つの局面に従って、上記インターフェースはまた、機能の集合を表示する機能選択部を含み、上記視聴者が機能パラメータを選択することを可能にする。
【００１３】
本発明の代替的な実施形態が、カラーコード化、他の視覚的キュー、およびオーディオキューを、チャンネルおよびパラメータを選択するための手段として含む。
【００１４】
本発明のテレビ受信器のためのディスプレイインターフェースは、最大ｎ×ｍ個のチャンネルのための複数のチャンネルインディケータを表示するためのｎ個の列およびｍ個の行を有するチャンネルマトリックスであって、該ｎおよびｍが２よりも大きい正の整数であり、各チャンネルインディケータが該マトリックス内のそれぞれ異なる位置に対応する、チャンネルマトリックスと、該マトリックスの該行および該列にそった位置に移動されるように構成されたカーソルと、チャンネル状態セクションであって、該マトリックス上の該カーソルの該位置の該インディケータに対応するテレビチャンネル上の状態情報を表示するチャンネル状態セクションと、該マトリックス上の該カーソルの該位置の該インディケータに対応する該チャンネルを選択するチャンネルセレクタと、を含む。
【００１５】
前記チャンネルマトリックスによって表わされる前記チャンネルが、複数のチャンネルグループのうちの１つのチャンネルグループであり、該チャンネルマトリックスが、該チャンネルグループ中の該チャンネルマトリックスを切り換えて、現在のチャンネルグループを選択するために実行されるように構成されたチャンネルグループセレクタをさらに含んでもよい。
【００１６】
前記現在のチャンネルグループ内の該全てのチャンネルを同時に選択するために実行されるグループ選択部をさらに含んでもよい。
【００１７】
前記ｎおよびｍが１０に等しく、それにより各チャンネルグループが最大１００チャンネルを含み、前記チャンネルグループセレクタが、前記現在のチャンネルグループの基本チャンネルのチャンネルインディケータを表示してもよい。
【００１８】
前記チャンネルマトリックス内の各チャンネルインディケータが、前記対応するチャンネルの前記状態情報を示すためにカラーコード化されてもよい。
【００１９】
前記マトリックス内の前記インディケータに対応する前記チャンネルが、少なくとも１つの所定のプロパティを有するか、または有せず、該１つの所定のプロパティを有するチャンネルに対応する該チャンネルインディケータが変更され、該１つの所定のプロパティを有さないチャンネルに対応するチャンネルインディケータが変更されなくてもよい。
【００２０】
前記所定のプロパティが、少なくとも一部、前記チャンネルを介して送信される信号に依存し、前記チャンネルインディケータが、該チャンネルを介して送信される信号が変わって、該チャンネルのうちの各々に関する該所定のプロパティ内の変化を示すときに、リアルタイムで変更されてもよい。
【００２１】
前記所定のプロパティが、少なくとも一部、電子プログラムガイド内に含まれる前記チャンネルについての情報に依存し、前記チャンネルインディケータが、該プロパティ内の変化が該電子プログラムガイド内で示されるとおりに発生する時間に対応する時間に変更されてもよい。
【００２２】
前記マトリックスの前記行および列に沿って前記カーソルを移動するための少なくとも１つのカーソルナビゲーションキーを含むリモートコントロールデバイスをさらに含み、前記チャンネルセレクタが該リモートコントロールデバイスのさらなるキーであってもよい。
【００２３】
音声方向コマンドを認識して、前記カーソルを前記マトリックスの前記行および列に沿って移動させ、且つ音声選択コマンドを認識して前記チャンネルセレクタとして作用する音声認識システムをさらに含んでもよい。
【００２４】
前記チャンネルマトリックスによって表わされる前記チャンネル上で実行され得る、個々の機能を表わす複数の機能インディケータを含む機能選択部をさらに含んでもよい。
【００２５】
本発明によるＣチャンネルを受信するように構成されるテレビ受信機を制御するためのユーザインターフェース法は、Ｃが整数であり、該方法は、最大ｎ×ｍ個のチャンネルのためのチャンネルインディケータを表示するためのｎ個の列およびｍ個の行を有するチャンネルマトリックスを表示する工程であって、ｎおよびｍが２よりも大きい正の整数であり、ｎ×ｍがＣよりも小さく、各チャンネルインディケータが該マトリックス内のそれぞれ異なる位置に対応する、工程と、該チャンネルインディケータのうちの１つに対応するチャンネルの考え得る選択を示すために、該マトリックス内の該チャンネルインディケータ上にカーソルを移動させる工程と、該考え得る選択チャンネルに関する状態情報を表示する工程と、該表示された状態情報に応答して、該考え得る選択チャンネルに対応する該チャンネルインディケータを選択する工程と、を包含する。
【００２６】
前記チャンネルマトリックスによって表わされる前記チャンネルが、複数のチャンネルグループのうちの１つのチャンネルグループであり、該方法が、該１つのチャンネルグループを表わすチャンネルグループセレクタを表示する工程と、該チャンネルグループ中の該チャンネルマトリックスを切り換えて、現在のチャンネルグループを選択するために、該チャンネルグループセレクタを実行する工程と、をさらに包含してもよい。
【００２７】
グループセレクタを表示する工程と、前記現在のチャンネルグループ内の該チャンネルの全てを同時に選択するために該グループセレクタを実行する工程と、をさらに包含してもよい。
【００２８】
前記対応するチャンネルの前記状態情報を示す、前記チャンネルマトリックス内の前記複数のチャンネルインディケータ中のチャンネルインディケータをカラーコード化する工程をさらに包含してもよい。
【００２９】
前記マトリックス内の前記インディケータに対応する前記チャンネルが、少なくとも１つの所定のプロパティを有するか、または有せず、前記方法が該１つの所定のプロパティを有するチャンネルに対応する該チャンネルインディケータを変更する工程、および該１つの所定のプロパティを有さないチャンネルに対応する該チャンネルインディケータを変更しない工程をさらに包含してもよい。
【００３０】
前記所定のプロパティが、少なくとも一部、前記チャンネルを介して送信される信号に依存し、前記チャンネルインディケータを変更する工程が、該信号が該チャンネルを介して送信される信号が変わって、該チャンネルのうちの各々に関する該所定のプロパティ内の変化を示すときに、リアルタイムで該チャンネルインディケータを変更する工程を包んでもよい。
【００３１】
前記所定のプロパティが、少なくとも一部、電子プログラムガイド内に含まれる前記チャンネルについての情報に依存し、前記チャンネルインディケータを修正する工程が、該プロパティ内の変化が該電子プログラムガイド内で示されるとおりに発生する時間に対応する時間に該チャンネルインディケータを変更する工程を含んでもよい。
【００３２】
前記チャンネルマトリックスによって表わされる前記チャンネル上で実行され得る、個々の機能を表わす複数の機能インディケータを含む機能選択部を表示する工程と、該機能インディケータが実行されるときに、該複数の機能インディケータのうちの選択された１つに対応する機能実行する工程と、をさらに包含してもよい。
【００３３】
本発明のテレビ受信器を制御するユーザインターフェースを実現するための装置は、最大ｎ×ｍ個のチャンネルのためのチャンネルインディケータを表示するためのｎ個の列およびｍ個の行を有するチャンネルマトリックスを表示するための手段であって、該ｎおよびｍが２よりも大きい正の整数であり、各チャンネルインディケータが該マトリックス内のそれぞれ異なる位置に対応する、手段と、該チャンネルインディケータのうちの１つと対応するチャンネルの考え得る選択を示すために、該マトリックス内の該チャンネルインディケータ上にカーソルを移動させるための手段と、該考え得る選択チャンネルに関する状態情報を表示するための手段と、該表示された状態情報に応答し、該考え得る選択チャンネルに対応する該チャンネルインディケータの選択を示すための手段と、を含む。
【００３４】
前記チャンネルマトリックスによって表わされる前記チャンネルが、複数のチャンネルグループ中の１つのチャンネルグループであり、該装置が、該１つのチャンネルグループを表わすチャンネルグループセレクタを表示するための手段と、該チャンネルグループ中の該チャンネルマトリックスを切り換えて、現在のチャンネルグループを選択するために、該チャンネルグループセレクタを実行する手段と、をさらに備えてもよい。
【００３５】
前記マトリックス内の前記インディケータに対応する前記チャンネルが、第１および第２の構成を有し得、該装置が、該第１の構成を有するチャンネルに対応する該チャンネルインディケータを変更し、且つ該第２の構成を有するチャンネルに対応する該チャンネルインディケータを変更しない手段をさらに備えてもよい。
【００３６】
本発明のコンピュータ可読媒体は、テレビ受信機を制御するためのユーザインターフェース法を実現するために、コンピュータを制御するコンピュータプログラムを含む、コンピュータ可読媒体であって、該コンピュータプログラムが、最大ｎ×ｍ個のチャンネルのためのチャンネルインディケータを表示するためのｎ個の列およびｍ個の行を有するチャンネルマトリックスを表示する工程であって、該ｎおよびｍが２よりも大きい正の整数であり、各チャンネルインディケータが該マトリックス内のそれぞれ異なる位置に対応する、工程と、該チャンネルインディケータのうちの１つに対応するチャンネルの考え得る選択を示すために、該マトリックス内の該チャンネルインディケータ上にカーソルを移動させる工程と、該考え得る選択チャンネルに関する状態情報を表示する工程と、該表示された状態情報に応答して、該考え得る選択チャンネルに対応する該チャンネルインディケータを選択する工程と、を該コンピュータに実行させる。
【００３７】
前述の一般的な説明および下記の詳細な説明は、ともに本発明の例示であるが、本発明を制限するものではないことが理解される。
【００３８】
本発明は、添付の図面と共に読むことで、下記の詳細な説明より最大の理解が得られる。慣例に基づいて、図面の各種特徴は一定の比率では描かれていないことを強調しておく。また、各種特徴の寸法は、明瞭さのために、任意に拡大または縮小されている。
【００３９】
【発明の実施の形態】
図１は、本発明の例示的な実施形態を含むテレビ受信機システムのブロック図である。テレビ受信機は、アンテナ１００および／またはケーブル接続１０２から無線周波数入力信号を受信するように結合せされた、チューナー１０６を含む。このシステムはまた、Ｍｏｖｉｎｇ  Ｐｉｃｔｕｒｅ  Ｅｘｐｅｒｔｓ  Ｇｒｏｕｐ（ＭＰＥＧ）によって特定された規格に従って符号化されたテレビ信号を受信する、衛星受信機を含む。チューナー１０６および衛星受信機１０８は、プログセッサ１１０によって制御される。例示的なチューナー１０６は、アナログテレビ信号、またはＡｄｖａｎｃｅｄ  Ｔｅｌｅｖｉｓｉｏｎ  ＳｙｓｔｅｍｓＣｏｍｍｉｔｔｅｅ（ＡＴＳＣ）によって特定された規格に従って符号化された信号を受信し得る。この規格は、ＭＰＥＧ規格の一部である。チューナーは、アナログテレビ信号をアナログテレビ信号プロセッサ１１２に提供し、ＡＴＳＣ符号化テレビ信号（ＡＴＳＣ  ｅｎｃｏｄｅｄ  ｔｅｌｅｖｉｓｉｏｎ  ｓｉｇｎａｌｓ）をＭＰＥＧデコーダー１１４に提供する。例えば、衛星受信機１０８によって提供される他のＭＰＥＧ符号化信号もまた、ＭＰＥＧデコータ゛１１４に提供される。アナログテレビ信号プロセッサ１１２およびＭＰＥＧデコータ゛１１４の両方とも、アナログ映像およびオーディオ出力信号を提供する。映像出力信号が映像信号プロセッサ１１６に印加される一方で、オーディオ信号は、オーディオ信号プロセッサ１１８に印加される。映像信号プロセッサ１１６がディスプレイデバイス１２０上での表示用の映像イメージを生成する一方で、オーディオ信号プロセッサ１１８は、スピーカーシステム１２２を介して付随する音を生成する。
【００４０】
プロセッサ１１０は、リモートコントロール受信機１２４を介してリモートコントロールのコマンドを受信する。この受信機は、従来技術の赤外線または超音波リモートコントロール受信機であり得る。プロセッサはまた、下記で述べるとおり、視聴者からの音声コマンドを受信するために用いられ得る光音声認識システム１２６（破線の囲みに示す）に結合され得る。最後に、例示的なテレビシステムは、プロセッサ１１０がメニュー、および下記で述べるチャンネルマトリックスを構築し得るオンスクリーン表示メモリを含む。プロセッサ１１０は、映像信号プロセッサ１１６に結合される。これらのメニューを、画面上の空白に表示するか、または現在表示されている映像イメージの上にオーバーレイとして表示されるかのいずれかであるように結合される。
【００４１】
前述したとおり、視聴者が利用可能な大量のチャンネルが、チャンネルデータを表示するための代替的な方法を必要とする。本発明に従った方法は、チャンネルマトリックスを用いることによってこの問題を克服する。図２は、映像イメージ背景１６を備えた、チャンネルマトリックス２０の例示的な実施形態の図である。この例示的なチャンネルマトリックスは、テレビ受信機内の多数の異なる機能と共に用いられ得る。図２に示すイメージは、例えば、視聴者が、そのようなより上のレベルのメニュー（図示せず）からの機能を選択すると、表示され得る。この画面は、視聴者が、１）どのチャンネルがその機能と関連する特定の状態にあるのかを判定すること、および２）チャンネルごと、またはチャンネルグループの状態を変更することを可能にする。
【００４２】
図２に示すチャンネルマトリックス２０は、チャンネル機能制御表示２４の一部である。表示２４はまた、選択チャンネル状態セクション２６、チャンネル機能カテゴリーアイコン２、ならびにＡチャンネルプロパティセレクタ１５Ａおよび１より多いサブオプションセレクタ１５Ｂおよび１５Ｃを含む。最後に、図２は、選択機能を実行するために、視聴者によって入力され得るコマンドを示すテキストアイテム２１を示す。本例において、テキストアイテム２１は、その機能に対応するチャンネルプロパティを変更することを示し、視聴者は、リモートコントロールの右矢印キーを押さなければならない。
【００４３】
チャンネル機能制御表示２４は、テレビ受信機の多数の局面を制御するために用いられ得る。これは、例えば、特定のチャンネルにロックするため（例えば、未成年の視聴者が、成人向けの番組にアクセスできなくするために）、お気に入りのチャンネルリストのチャンネルを追加または削除するため、特定のタイプの番組を現在放送しているチャンネルを示すため、マトリックス内の各チャンネルごとに、チャンネルベースでＶ−ｃｈｉｐレーティング情報（Ｖ−ｃｈｉｐ  ｒａｔｉｎｇ  ｉｎｆｏｒｍａｔｉｏｎ）を示すため、または単にテレビ受信機を同調させるために用いられ得る。
【００４４】
チャンネルマトリックス２０は、ｎ×ｍ個のチャンネル番号を表示するためのｎ個の列およびｍ個の行を含む。図２に、例示の目的のために、１０×１０のマトリックスを示す。チャンネルは、チャンネルマトリックス群インディケータ２２Ａに含まれる情報に基づいて、グループ分けされる。本発明の例示的な実施形態は、マトリックス２０内に、１度に最大１００までのチャンネルを表示するので、グループインディケータ２２Ａ内の値は、マトリックスの００エントリーに対応する基本チャンネル番号を示す。よって、図２に示すチャンネルマトリックスは、３００から３９９までのチャンネル番号に関してセレクタ１５Ａが特定したチャンネルプロパティの状態を表示する。
【００４５】
チャンネルグリッドエリア２０内に表示される情報は、セレクタ１５Ａ、１５Ｂおよび１５Ｃのうちの１つを強調表示することによって示される。サブオプションセレクタ１５Ｂおよび１５Ｃのうちの１つが、セレクタ１５Ａの代わりに選択される場合、チャンネルグリッドエリア２０は、他のタイプの情報を表示し得るが、これは、チャンネルグリッドの形式であってもなくてもよい。しかしながら、所与のチャンネル機能制御表示２４で表示される情報の全ては、アイコン２によって示されるような特定のチャンネル機能カテゴリーに関連する
チャンネルグリッド２０において、個々のチャンネルインディケータは、各行および列の交差部に表示される。数字が表示される場合、そのチャンネルが利用可能である。マトリックス位置に数字が表示されない場合、その位置に関連するチャンネルは、そのプロパティの変更ができない。例えば、図２において、００チャンネルは利用できるが、１０チャンネルは利用できない。チャンネルマトリックスはまた、各利用可能なチャンネルのプロパティ状態を表示する。図２に示す例示的な表示において、０〜９、２１、２２、２４〜２９、３１〜５９、８０、８２、８３および８５〜９９チャンネルは、それらがセレクタ１５Ａによって示されるチャンネルプロパティを備えることを示すために、太字の数字で示される一方で、示されるプロパティを備えない残りのチャンネルは、通常のフォントで示される。個々のチャンネル状態を示すために、他の方法が用いられ得ることが企図される。例えば、プロパティを備えるチャンネルに対応するチャンネル番号が赤で示され得る一方で、プロパティを備えないチャンネルは緑で示される。
【００４６】
図２Ａから７は、図２に示すチャンネルマトリックス表示と同様のチャンネルマトリックス表示であり、特定のチャンネルプロパティであるロックに対するチャンネルマトリックスの動作を例示する。しかしながら、チャンネルグリッド２０は、テレビ受信器の他の多くの機能のため、およびチャンネルの他の多くのプロパティを表示するために用いられ得ることを強調する。
【００４７】
図２Ａに示す表示は、例えば、より上のレベルのメニュー（図示せず）で視聴者がロックセレクタを押すことに応答して提供され得る。図２Ａは、ロック状態、および３００〜３９９チャンネルの利用可能状況を示す。例示的なシステムは、ＭＰＥＧ規格に従って符号化されたデジタルテレビ信号を受信する。この規格に従って、いずれの６ＭＨｚのチャンネルも、単一のチャンネルとして、または複数のマイナーチャンネルとして構成され得る。図２Ａに示す例示的な表示は、下線が引かれたチャンネル番号としてマイナーチャンネルを含むチャンネルを示す。例示的な表示において、３０、４４〜４９、および５４〜５９チャンネルは、マイナーチャンネルを含む。他の全てのチャンネルは、１つの番組のみを備える。本発明の例示的な実施形態において、チャンネル全体がロックされ得るか、またはそのチャンネル内の個別のマイナーチャンネルがロックされ得る。チャンネルがロックされたマイナーチャンネル、およびロックされていないマイナーチャンネルの両方を示すために、ディスプレイは、異なるフォント、例えば、イタリック体（図示せず）で、または、異なる色、例えば、黄色（図示せず）でチャンネルを示し得る。
【００４８】
図２Ａに示す表示からのチャンネルリスト内の個別のチャンネルのロック状態を変更するために、視聴者は右矢印キーを押す。図３に、その後の表示を示す。この表示において、チャンネルグループインディケータ２２Ａが強調表示され、コマンドメッセージ２１が、視聴者が上または下矢印キーを押すと、マトリックス２０によって表わされるチャンネルグループが変わることを示すために変更される。例えば、視聴者が上矢印キーを押した場合、図４に示す表示が生成される。この画面は、４００チャンネルから始まるチャンネルの利用可能状況、ロック状態、および複数番組状態を示す。この表示において、チャンネルグループインディケータ２２Ａは、基本チャンネル番号の４００を示す。また、０〜２９までのチャンネル番号のみが、チャンネルマトリックス２０内に示されており、この例示的なシステムでは、最も大きなチャンネル番号が４２９であることを示す。
【００４９】
図３を参照して、３００チャンネルから始まるチャンネルグループを選択するために、右矢印キーを押す代わりに、視聴者がアクションキーを押して、次いで右矢印キーを押した場合、セレクタ２２Ｂが強調表示される（図示せず）。次いで、再度アクションキーを押すことによって、視聴者は、３００チャンネルから始まる、マトリックス２０内に表示された全てのチャンネルを同時にロックし得る。アクションキーを押す代わりに、視聴者が右矢印キーを２回押した場合、セレクタ２２Ｃが強調表示される（図示せず）。このセレクタが強調表示されているときに、アクションキーを押すことによって、視聴者は、３００チャンネルから始まる、表示された全てのチャンネルのロックを同時に解除し得る。
【００５０】
本発明の代替的な実施形態において、セレクタ２２Ｂまたは２２Ｃが強調表示されているときに、アクションキーを押すことによって、全てのチャンネルグリッド内の全てのチャンネルからのそれぞれ、プロパティ状態を追加または削除する。図３に示す例示的な実施形態において、この動作により、０〜４２９までの全てのチャンネルをロックするか、またはロック解除する。
【００５１】
この機能は、衛星放送業者または有線放送業者が、１ブロックのチャンネル内の同様のタイプの番組を放送する場合に、特に有効である。例えば、図３を参照して、放送業者が、その業者の成人向け映画の全てを３００代のチャンネルブロック（すなわち、３００〜３９９チャンネル）で放送することを決定することが可能である。よって、視聴者は、「全てロック」セレクタ２２Ｂ上にカーソルを配置し、アクションキーを押すことにより、そのチャンネルマトリックス内に表示される全てのチャンネルをロックすることができる。
【００５２】
図３に示す表示から、３００チャンネルから始まるチャンネルグループを選択するために、視聴者がアクションキーを押し、下矢印キーを３回押すと、図５に示す表示が提供される。この図は、利用できないチャンネルを選択する試みを例示する。図５において、２０チャンネルのためのスペースが空白であるが、これは、このチャンネルが利用できないことを示していることに留意されたい。すなわち、テレビ受信機によって受信され得ない。矢印キーを用いて、視聴者がカーソル２３を２０チャンネルのための位置上に配置するときに、状態表示２６が変わり、２０チャンネルが利用できないことを示す。カーソルがチャンネルマトリックス内で有効なときに、コマンドメッセージ２１が変わって、上、下、右、および左矢印キーがマトリックス内をナビゲートする（ｎａｖｉｇａｔｅ）ために用いられ得ることを示す。
【００５３】
本発明の例示的な実施形態において、カーソル２３がチャンネル番号を囲む、中が空いた矩形として示される。しかしながら、このカーソルは多くの異なる形状を取り得ることが企図される。例えば、チャンネル番号の下または上で点滅する棒線、または数字の上に配置されたときに、チャンネル番号の色を変える透き通った色付きの矩形であり得る。カーソルの位置はまた、カーソルがナビゲーションキーに応答してある番号から別の番号へと移動するときに、チャンネル番号の明るさを変えることによって示され得る。
【００５４】
図５のイメージが表示されるときに、視聴者が下矢印キーを押した場合、図６に示す画面が表示される。カーソル２３を１行下に移動させることによって、視聴者は、マイナーチャンネルを含む３０チャンネル（すなわち、マルチプログラムチャンネルである）を、下線によって示すとおり、強調表示する。この場合、３０チャンネルは、少なくとも２つのマイナーチャンネル、５０および８９を備える。視聴者が、最初にマルチプログラムチャンネルを選択する場合、最小の数を有するマイナーチャンネルが表示される。この場合、マイナーチャンネル５０がＣＮＢＣＴＭの提供番組である。これは、マイナーチャンネルが利用可能である（すなわち、ロックされていない）ことを示すテキスト２６Ｄとともに、チャンネル状態エリア２６内にあるアイコン２６Ｃによって示される。また、チャンネル状態エリアは、視聴者が選択チャンネル内の他のマイナーチャンネルを見るために押し得るキーを示す、２つのアイテム２６Ａおよび２６Ｂを含む。本発明の例示的な実施形態において、これらのインディケータは上および下矢印であり得る。
【００５５】
マイナーチャンネルが、上および下矢印を用いて選択され得ることを示すために、カーソルがマルチプログラムチャンネル上に配置されるときにも、コマンドメッセージ２１が変わる。よって、本発明のこの例示的な実施形態において、一旦カーソルがマルチプログラムチャンネル上に配置されると、リモートコントロールの情報（ＩＮＦＯ）キーを押すことによって、図７に示すとおり、チャンネル状態エリア２６を強調表示するために、フォーカス（ｆｏｃｕｓ）がシフトする。チャンネル状態エリア２６が強調表示されると、リモートコントロールの上および下矢印を押すことによって、表示２６がマイナーチャンネルを通って進む。視聴者がマトリックス２０に戻ることを望む場合、視聴者は情報キーを再び押す。本発明の例示的な実施形態は、次に番号が大きなマイナーチャンネルの状態を表示するために、上矢印キーを用いること、および次に番号が小さなマイナーチャンネルの状態を表示するために、下矢印キーを用いることを示す。また、最小の数のチャンネルがマトリックスの１番上にあり、最大の数のチャンネルがマトリックスの１番下にあるマトリックス２０のチャンネルの進行に従うために、矢印キーの機能は逆転され得る。
【００５６】
この例示的な実施形態において、カーソルがマルチプログラムチャンネル上に配置されるときに、リモートコントロールの左または右矢印キーを押すことによって、エリア２６内にどのマイナーチャンネルが表示されているかに関わらず、マトリックス２０内の前または次のチャンネルにカーソルを移動させる。
【００５７】
ユーザがチャンネルマトリックス内をナビゲートしているときに、コマンドメッセージ２１は、視聴者に、アクションキーを押して、そのチャンネルのロック状態を切り換えるように指示する。図７に示す表示を見ているときに、ユーザがアクションキーを押すと、３３０チャンネルのマイナーチャンネル８９の状態がロックに変えられる（図示せず）。３３０チャンネルのマイナーチャンネル８９がロックされると、マトリックス２０内のチャンネル番号３０が変化し、そのマイナーチャンネルがロックされていることを示す。これは、本発明の例示的な実施形態においては、チャンネル番号３０のフォントが太字（図示せず）に変わることによって示される。上述のとおり、この種の変化はまた、多くの異なる方法で（例えば、数字の数を黄色に変えることによって、または数字をイタリック体のフォントに変えることによって）示され得る。また、状態の変化を反映するために、テキストアイテム２６Ｄの色が変わり得ることが企図される。例えば、「チャンネルロック」のテキストが赤であり得る一方で、「利用可能チャンネル」のテキストが緑であり得る。図５に示す「利用不可チャンネル」のテキスト、およびロック状態を示さない他のあらゆるテキストは、違う色、例えば、黒であり得る。
【００５８】
本発明の例示的な実施形態が、チャンネルロックコマンドに関して示されたが、チャンネルマトリックスがテレビ受信機の他の機能で用いられ得ることが企図される。例えば、チャンネルマトリックスは、視聴者がお気に入りのチャンネルリストをより迅速に生成し、且つ維持することを助けるために用いられ得る。メニューシステムの画面表示および操作が、チャンネルロック機能については、ほぼ同じである。例えば、お気に入りのチャンネルプロパティのサブオプションは、受信機が家庭内の各視聴者ごとに１つずつで、複数のお気に入りのリスト維持し得るように、視聴者の名前であり得る。
【００５９】
チャンネルマトリックス２０はまた、チャンネル選択をして、テレビ受信機を同調させるために用いられ得る。図８および９は、選択メニュー内のチャンネルマップ２０の考え得る実現形態を示す画面図である。図８は、チャンネルマップ２０がテレビシステム内の利用可能なチャンネル中から選択するためにいかにして用いられ得るかの一例を示す。図８は、映像イメージ部１６およびチャンネル情報部３０を含む。表示されたチャンネルは、チャンネル番号フィールド３８内の値３４５〜７８およびチャンネルマトリックスグループインディケータ２２Ａによって示される３００チャンネルグループ内のチャンネル番号４５上に配置されているカーソル２３によって示されるとおり、３４５チャンネルのマイナーチャンネル７８である。
【００６０】
この例において、３４５チャンネルは、チャンネルマトリックス２０を立ち上げる、リモートコントロールのキーを視聴者が押すことによって選択される。視聴者は、グループインディケータ２２Ａ上にカーソル２３を配置し、次いで、上および下矢印キーを移動することによってチャンネルグループをスクロールして、上述のとおり、グループを選択し得る。一旦チャンネルグループが選択されると、視聴者は矢印キーを用いて、チャンネルマトリックスをナビゲートし得る。カーソル２３が各チャンネル上を通過すると、ディスプレイのチャンネル情報部３０が、番組のタイトル３２、開始および終了時間３３、番組の簡単な要約３４、チャンネルに特有のアイコンまたはロゴ３６、チャンネルに関する呼出符号（ｃａｌｌ  ｌｅｔｔｅｒ）４０、およびチャンネル番号３８を示す。また、情報部が、番組フォーマットの表示４２（例えば、高解像度テレビ（ＨＤＴＶ））、番組に関するＶチップレーティングの表示４４（例えば、ＴＶＰＧ）、字幕テキストが利用可能であることを示す字幕シンボル４６、および番組のオーディオフォーマットを示すＤｏｌｂｙＴＭシンボル４７を表示し得る。背景映像イメージ１６は、視聴者が、例えば、カーソル２３がそのチャンネル番号上に配置されている間にアクションキーを押すことによって、チャンネルマトリックス内のチャンネルを選択するまで変わらない。
【００６１】
図９に示すチャンネルグリッド内のチャンネル番号が、特定のプロパティを示すために変更されることに留意されたい。このプロパティは、上述のとおり、ロック状態であり得るか、もしくは受け入られ得るＶチップレーティングまたは番組コンテンツ等の他のプロパティであり得る。この場合、元の状態を示す。
【００６２】
あるいは、チャンネルマトリックスは、図９に示すように、占有が少ない方法でテレビ受信機を同調させるために用いられ得る。この使用法において、チャンネルマトリックス２０およびチャンネル情報部５０は、ともに、透明な背景の上に提供され、視聴者が新たなチャンネルを選択している間に、現在の映像番組がより多く見えることを可能にする。また、チャンネル情報部５０は、図８に示す情報部３０よりもさらに簡潔である。情報部５０は、チャンネルロゴ３６、チャンネル番号３８、番組タイトル３２、およびチャンネルグループインディケータ２２Ａだけを含む。それ以外の場合、図９に示す選択システムは、図８に示すシステムと同様に動作する。
【００６３】
本発明の例示的な実施形態において、チャンネルマトリックス２０は、リアルタイムに変化し、チャンネルを介して送信されている番組の状態の変化を追跡する。例えば、個々のマイナーチャンネル内の複数のＳＤＴＶ番組を備えるメジャーチャンネルが、単一のＨＤＴＶ番組を備えるように変化する場合、チャンネルの下の下線は、その変化が検知されるとすぐに消える。あるいは、マトリックス２０が、電子番組ガイド（ＥＰＧ）データベースから生成される場合、マトリックスは、テレビ信号内の対応する変化の発生に対し、ＥＰＧデータベース内に示される時間に変化する。別の例として、チャンネルロックがＶチップレーティングに基づく場合、表示されているチャンネルマトリックスはロック状態を示し、受け入れられるＶチップレーティングを備える新たな番組が、そのチャンネルを介して送信される場合、そのチャンネルの状態は、自動的にロックされていないものとして示される。
【００６４】
テレビおよび家庭用コンピュータが１つになることを考慮して、本発明に従ったユーザインタ−フェースが、家庭用コンピュータで実行するソフトウェアで実現され得ることが企図される。このソフトウェアは、磁気ディスク、光ディスク、無線周波数搬送波、または音声周波数搬送波等のコンピュータ使用可能担体（媒体）上のコンピュータプログラムに組み込まれ得る。
【００６５】
本発明のテレビ受信機とともに使用するためのチャンネルマトリックスは、それぞれがチャンネルグループ内の１つのチャンネルに対応する、チャンネルの数の行および列を含む。マトリックスは、異なるチャンネルグループを表示するために実行されるグループセレクタを含む。チャンネルマトリックスは、テレビ受信機を同調させるため、チャンネルロック、お気に入りのチャンネルの選択などの他の機能を行うため、もしくはマイナーチャンネルを含むか、またはあるＶチップレーティングを備えるというようなチャンネル状態を表示するために用いられる。所望のチャンネルは、所望のチャンネルがカーソルの下に位置するまで、マトリックスの行および列を渡ってカーソルをナビゲートし、次いで、選択キーを押すことによって選択され得る。マトリックスと関連づけられたチャンネル状態表示は、選択チャンネルについて、または選択される前のカーソルの下に位置するチャンネルについての情報を表示する。ディスプレイエンハンスメントが、強調表示、下線、およびアイコンの表示等の視覚キュー、オーディオキュー、ならびにチャンネルグループ全体を選択する能力を含む。ディスプレイエンハンスメントはリアルタイムでチャンネル状態の変化を示し、チャンネル内で変化する状態を反映する。
【００６６】
上記は、ある特定の実施形態を参照して、例示および述べられたが、本発明は、それであっても、示された詳細事項に限定されることを意図するものではない。むしろ、各種の変更が、請求の範囲の同等物の領域および範囲内、および本発明から逸脱することなく、詳細になされ得る。
【００６７】
【発明の効果】
本発明により、番組スケジュールグリッドをより分かりやすく、且つ扱いやすくするために、番組情報を表示する改善することができる。
【図面の簡単な説明】
【図１】図１は、本発明が実現され得る、例示的なテレビシステムのブロック図である。
【図２】図２は、一般的な用途を備えたチャンネルマトリックスフォーマットの図である。
【図２Ａ】図２Ａは、本発明の動作を説明するために有効な例示的なチャンネルマトリックス状態表示の図である。
【図３】図３は、本発明の動作を説明するために有効な例示的なチャンネルマトリックス状態表示の図である。
【図４】図４は、本発明の動作を説明するために有効な例示的なチャンネルマトリックス状態表示の図である。
【図５】図５は、本発明の動作を説明するために有効な例示的なチャンネルマトリックス状態表示の図である。
【図６】図６は、本発明の動作を説明するために有効な例示的なチャンネルマトリックス状態表示の図である。
【図７】図７は、本発明の動作を説明するために有効な例示的なチャンネルマトリックス状態表示の図である。
【図８】図８は、マトリックス内のチャンネルについての情報を表示する電子プログラムガイド内の例示的なチャンネルマトリックスの図である。
【図９】図９は、テレビ受信機を同調させるために用いられ得る際の、例示的なチャンネルマトリックスの図である。
【図１】
0003560558.tif 000002
【図２】
0003560558.tif 000003
【図２Ａ】
0003560558.tif 000004
【図３】
0003560558.tif 000005
【図４】
0003560558.tif 000006
【図５】
0003560558.tif 000007
【図６】
0003560558.tif 000008
【図７】
0003560558.tif 000009
【図８】
0003560558.tif 000010
【図９】
0003560558.tif 000011